(57)【要約】      【課題】特定の内臓器官に刺激を与えてその代謝機能を高めて、成人病、肥満、などに効果を有する靴の中敷を提供することを目的とする。【解決手段】弾性を有する弾性部材２に先端が足の裏に直接接触してマッサージを行い得るように弾性部材２の表面に形成される複数の突起部３とからなる靴の中敷１において、突起部３は足裏反射治療法により特定される内臓器官と関連した足の裏の反射区にのみ接触するように作成されている。あらゆる内臓器官に対して活性化を促し代謝機能を高めることができる。【選択図】    図１
2008200252.tif 000002
【特許請求の範囲】
【請求項１】
ゴム材料などからなる弾性を有する弾性部材（２）を、足裏反射区に特定される内臓器官と関連した足の裏の反射領域に接触するように設計されたことを特徴とする靴の中敷。
【請求項２】
さまざまな顧客の要求に応えるため、足裏反射区に特定されるおのおのの内臓器官に個々に弾性部材（２）が接触するよう個別注文により製作される靴の中敷。
【請求項３】
弾性層（２）は、つぼを刺激できるように複数の突起物（３）を有することを特徴とする靴の中敷。
【請求項４】
弾性層（２）は、つぼを刺激することをより効果的にするために磁石（４）を有することを特徴とする靴の中敷。
【発明の詳細な説明】
【技術分野】
【０００１】
本発明は、靴の中敷に関するもので、おのおのの内臓器官に特定される足裏反射区に個々に弾性部材（２）が接触することにより、特定の内臓器官に作用し、各内臓の働きを活発にし、病気、障害に対して効果を発揮する靴の中敷に関するものである。
【背景技術】
【０００２】
従来より、靴の中敷には、靴の内底の高さをそろえるためや足を保温するため、あるいは外反母趾などを矯正させるためのものが知られている。また、健康目的の中敷の例として通気性をよくしたものや、抗菌防臭が施された中敷などがある。
【０００３】
また、足の裏の血行を良くするために、複数の突起体が足の裏全体に接触するよう中敷の表面に均一的に配置された構造となっている。    
【発明の開示】
【発明が解決しようとする課題】
【０００４】
内臓疾患の治療法に足裏反射区治療法と呼ばれるものがある。足の裏のつぼを刺激することによって足裏反射区に特定される内臓器官に作用する治療法である。たとえば、セラピストが患者の足の裏を刺激することにより、特に痛みを激しく感じる反射区から、その反射区に特定される内臓疾患を発見することができる。また、これらの足の裏の反射区を慎重にマッサージすることにより、対応する内臓器官に積極的に刺激を与えて代謝機能を高めるという治療も可能となっている。
このような事実から、靴の中敷に足の裏の反射区に刺激を与える構造、たとえば、上述した突起体を設けるなどの手段を用いれば、歩きながら内臓に刺激を与えることができ、特定される内臓器官の代謝機能を高めるなどの効果が期待できる。しかしながら、足裏反射区治療法において重要なことは反射領域にのみ有効な刺激を与えることであり、上述の、突起体が均一に配置される構造の中敷では、突起体による刺激が足の裏全体に分散されてしまい、またその刺激も慢性化してくるため、内臓への作用はほとんどなく、単に足の裏の血行を活性化するという機能だけにとどまっていた。
【０００５】
本発明はこのような課題を解決するために創作されたものであり、足の裏の血行を活性化させるとともに、特定の内臓器官に刺激を与えてその代謝機能を高める効果を目的としている。
【課題を解決するための手段】
【０００６】
請求項１の発明は、斯かる実情により案出されたもので、まず、第１の手段として、ゴム材などからなる、弾性を有する弾性部材（２）と、先端が足の裏に直接接触してマッサージを行い得るように弾性部材（２）の表面に形成される複数の突起部（３）から成り、突起部（３）は略円柱形状を呈し、弾性部材（２）に一体に成型されている。
第２の手段として、突起部（３）は、足裏反射区治療法により特定される内臓器官と関連した足の裏の反射区にのみ接触するように弾性部材（２）の表面に配列されている。
第３の手段として、弾性部材（２）の直径を１０ｍｍから３０ｍｍまでのいずれかの寸法にすることにより、個々の患者の要望に応じて足裏反射区に準じて特定の内臓の反射区を刺激できるよう考案した。
【発明の効果】
【０００７】
本発明に係る靴の中敷は次のような効果を奏する。
突起部を足裏反射区治療法の原則に従って、特定の内臓器官と関連する足の裏の反射区に接触して最も効率的な作用を及ぼすように弾性部材（２）を配列させることにより、歩行動作に伴って自動的に足の裏がマッサージされ、血行が活性化されるとともに、突起部が肝臓、胃、大腸、リンパ腺、などの内臓器官に作用して各内臓器官の代謝機能を活性化させることが可能となる。
さまざまな疾患に合わせて、弾性部材（２）を個々の内臓器官の反射区に接触させ得ることから、患者一人ひとりの疾患に対して的確に個々の内臓器官に刺激することができ、個々の内臓器官の代謝機能を活性化させることが可能な中敷が実現される。
歩きながら内臓に刺激を与えることができ、特定される内臓器官の代謝機能を高めるなどの効果が期待できる。
【実施例】
【０００８】
以下、本発明の実施形態を図面に基づき説明する。
図１は、本発明に係る左足用の靴の中敷の正面図である。
図２は、本発明に係る右足用の靴の中敷の正面図である。
図３は、本発明のゴム材料などからなる弾性を有する弾性部材（２）の正面図である。
図４は、本発明のゴム材料などからなる弾性を有する弾性部材（２）の断面図である。
図５は、足裏反射区図である。
図６は、糖尿病疾患に対する弾性部材（２）の配置位置である。
図７は、肩こりの患者に対する弾性部材（２）の配置位置である。
図８は、ダイエットを希望する患者に対する弾性部材（２）の配置位置である。
図９は、低血圧患者に対する弾性部材（２）の配置位置である。
【０００９】
図１において、（１）は中敷本体、（２）は弾性部材、（３）は特定の内臓器官に刺激を及ぼすための突起部である。
【００１０】
以下、図１を参照にしながら本発明に係る靴の中敷について、左足用の中敷に関して詳細に説明する。弾性部材（２）弾力性に富むゴムなどの材質からなる薄片状の部材である。この弾性部材（２）の表面には複数の突起部（３）が形成されている。
【００１１】
この突起部（３）の形状は略円柱形をなしており、その大きさは、足の裏の反射区に過剰な圧迫を与えることがないように、また、内臓器官への充分な作用を及ぼしめるべく、高さが０．３ｍｍから３．０ｍｍまでのいずれかの寸法である。
【００１２】
このように突起部（２a）は、足裏反射区治療法の原則に従って、特定の内臓器官と関連する足の裏の反射区に接触して最も効率的な作用を及ぼすように設計されている。
【００１３】
中敷の装着時においては、装着者が歩行することにより、患者の要望による、内臓の反射区に接触するよう配列された弾性部材（２）の突起部（３）により、接触した部分を自動的にマッサージして足の裏の血行を活性化するとともに、その反射区に対応する肝臓、胃などの内臓器官を効率的に刺激してそれらの代謝機能を活発化させる。
【００１４】
図６は、糖尿病疾患に対する弾性部材（２）の配置位置である。
足裏反射区に準じて糖尿病疾患に有効な反射区に弾性部材（２）を取り付けた例である。
【００１５】
図７は、肩こりの患者に対する弾性部材（２）の配置位置である。
足裏反射区に準じて肩こりに有効な反射区に弾性部材（２）を取り付けた例である。
【００１６】
図８は、ダイエットを希望する患者に対する弾性部材（２）の配置位置である。足裏反射区に準じてダイエットに有効な反射区に弾性部材（２）を取り付けた例である。
【００１７】
図９は、低血圧患者に対する弾性部材（２）の配置位置である。
足裏反射区に準じて低血圧患者に有効な反射区に弾性部材（２）を取り付けた例である。
【図面の簡単な説明】
【００１８】
【図１】は、本発明に係る左足用の靴の中敷の正面図である。
【図２】は、本発明に係る右足用の靴の中敷の正面図である。
【図３】は、本発明のゴム材料などからなる弾性を有する弾性部材（２）の正面図である。
【図４】は、本発明のゴム材料などからなる弾性を有する弾性部材（２）の断面図である。
【図５】は、足裏反射区図である。
【図６】は、糖尿病疾患に対する弾性部材（２）の配置位置である。
【図７】は、肩こりの患者に対する弾性部材（２）の配置位置である。
【図８】は、ダイエットを希望する患者に対する弾性部材（２）の配置位置である。
【図９】は、低血圧患者に対する弾性部材（２）の配置位置である。
【符号の説明】
【００１９】
１  中敷
２  弾性部材      
３  突起部
【図１】
2008200252.tif 000003
【図２】
2008200252.tif 000004
【図３】
2008200252.tif 000005
【図４】
2008200252.tif 000006
【図５】
2008200252.tif 000007
【図６】
2008200252.tif 000008
【図７】
2008200252.tif 000009
【図８】
2008200252.tif 000010
【図９】
2008200252.tif 000011